(57)【要約】【課題】シャワー吐水を行うためのシャワーユニットを連結管に袋ナットを用いて接続するシャワー装置において、袋ナットが緩んでもシャワーユニットが外れて落下することのないシャワー装置を提供するものである。【解決手段】複数の散水孔を有するシャワーユニットを連結管に袋ナットを用いて接続するシャワー装置において、前記シャワーユニットまたは連結管のいずれか一方を袋ナットの開口部から突出させ、他方を袋ナットの螺合部と螺合接続し、さらに、この袋ナットの側面に補助固定具を挿入する貫通穴を形成し、かつ、袋ナットと螺合接続したシャワーユニットまたは連結管の側面に溝部を形成して、補助固定具の先端が溝部に入り込むように貫通穴に補助固定具を取付けてなることを特徴とするシャワー装置とした。【選択図】　図１
2004113699.tif 000002
【特許請求の範囲】
【請求項１】
シャワーユニットを浴室の壁面より突出した連結管と袋ナットを用いて接続するシャワー装置において、該袋ナットの側面には貫通穴を設け、前記シャワーユニットは、湯水を吐水する散水部と、前記連結管と螺合する固定部からなり、さらに該固定部は、袋ナットと螺合した際の貫通穴と合う位置に溝部を設け、前記貫通穴に取付けることにより先端が溝部に入り込む補助固定具を有することを特徴とするシャワー装置。
【請求項２】
前記補助固定具はねじであり、貫通穴の内周面に雌ネジが切られていることを特徴とする請求項１に記載のシャワー装置。
【請求項３】
前記補助固定具は溝部に入り込むＣ字型の弾性を有する爪部と貫通穴に位置する本体部とを備えてなることを特徴とする請求項１に記載のシャワー装置。
【請求項４】
前記シャワーユニットは、連結管に対して、任意の角度に調整可能な構造としたことを特徴とする請求項１乃至３のいずれか１つに記載のシャワー装置。
【請求項５】
前記シャワーユニットを接続した連結管は、水平方向に回転可能に給水管に接続されていることを特徴とする請求項１乃至４のいずれか１つに記載のシャワー装置。
【発明の詳細な説明】
【０００１】
【発明の属する技術分野】
本発明は、浴室やシャワールームなどのシャワー装置に関する。
【０００２】
【従来の技術】
従来、浴室やシャワールームなどに設置される固定式のシャワー装置として、壁面から突設された連結管に複数の散水孔を形成したシャワーユニットを取付けて、頭上からシャワー吐水を行うようにしたものがある。
たとえば、図８および図９に従来のシャワー装置を示す。
壁面から突設された連結管の端部にボール型の継手を接続し、この継手に袋ナットを用いてシャワーユニットを接続していた。（たとえば、非特許文献１を参照のこと）
【０００３】
【非特許文献１】
ＴＯＴＯ総合カタログ２００２−２００３　版Ｐ７０３　固定シャワー
【０００４】
しかしながら、この場合、シャワーユニットを取付けた後、長い時間が経過したり、清掃等によりシャワーユニットに触れる機会が頻繁にあると、袋ナットに緩みが生じることがある。
特に、図８および図９に示すように、ボール型の継手を利用したシャワー装置の場合、シャワー吐水を行うためにシャワーユニットを任意の角度に調整可能である。また、シャワーユニットの側部にレバーが設けられており、このレバーの操作により吐水形態を切り替えられる構造のものがある。これらのシャワー装置においては、繰り返しシャワーユニットに力が加わるため、さらに袋ナットに緩みが生じ易い。
このように、袋ナットがシャワーユニットの接続部から徐々に緩むことにより、最悪の場合、シャワー吐水を行ったときにシャワーユニットが落下するおそれがある。
【０００５】
これを防ぐため、袋ナットのねじ部に緩み防止の接着剤を塗布したものもある。しかしながら、メンテナンスの際はシャワーユニットを連結管から外す必要があるため、これを考慮した接着材料を選定する必要があり、塗布量や使用条件によっては、十分な緩み防止の効果が得られない場合が起こりえる。
また、メンテナンス後、再び袋ナットにて接続する際、作業者が接着剤を所持しておらず塗布できない場合や塗布量が適当でない場合等は、完全な緩み防止の効果は期待できなかった。
【０００６】
【発明が解決しようとする課題】
そこで、本発明では上記の問題点を解決するため、シャワー吐水を行うためのシャワーユニットを連結管に袋ナットを用いて接続するシャワー装置において、袋ナットが緩んでもシャワーユニットが外れて落下することのないシャワー装置を提供するものである。
【０００７】
【課題を解決するための手段】
第１の発明では、シャワーユニットを浴室の壁面より突出した連結管と袋ナットを用いて接続するシャワー装置において、該袋ナットの側面には貫通穴を設け、前記シャワーユニットは、湯水を吐水する散水部と、前記連結管と螺合する固定部からなり、さらに該固定部は、袋ナットと螺合した際の貫通穴と合う位置に溝部を設け、前記貫通穴に取付けることにより先端が溝部に入り込む補助固定具を有することを特徴とするシャワー装置とした。
【０００８】
本発明によれば、袋ナットに取り付けている補助固定具が溝部に引っ掛かっているため、シャワーユニットと連結管とを接続している袋ナットは所定以上緩むことがなく、ユニット本体の落下を防止することができる。
また、袋ナットの緩みが生じた際は、袋ナットから漏水するため、接続不良であることをすぐに認識することが可能である。
【０００９】
第２の発明では、前記補助固定具はねじであり、貫通穴の内周面に雌ネジが切られていることを特徴とする請求項１に記載のシャワー装置とした。
【００１０】
本発明によれば、ねじを袋ナットの貫通穴に形成された雌ネジにねじ込むことで溝部にねじの先端部が入り込み、シャワーユニットと連結管とを接続している袋ナットは所定以上緩むことがなく、ユニット本体の落下を防止することができる。
また、袋ナットの緩みが生じた際は、袋ナットから漏水するため、接続不良であることをすぐに認識することが可能である。
特に、本発明のようにねじを利用しているため、施工性が悪くなったり高価になったりすることもない。
【００１１】
第３の発明では、前記補助固定具は溝部に入り込むＣ字型の弾性を有する爪部と貫通穴に位置する本体部とを備えてなることを特徴とする請求項１に記載のシャワー装置とした。
【００１２】
本発明によれば、Ｃ字型の弾性を有する爪部を溝部に入り込ませることで、シャワーユニットと連結管とを接続している袋ナットは所定以上緩むことがなく、ユニット本体の落下を防止することができる。
また、袋ナットの緩みが生じた際は、袋ナットから漏水するため、接続不良であることをすぐに認識することが可能である。
特に、本発明のようにねじを利用せずに弾性を有する爪部を用いているため、補助固定具が貫通穴から不用意に外れることがなく、より安全性を高めることができる。
【００１３】
第４の発明では、前記シャワーユニットは、連結管に対して、任意の角度に調整可能な構造としたことを特徴とする請求項１乃至３のいずれか１つに記載のシャワー装置とした。
【００１４】
本発明によれば、シャワーユニットの角度調整により、使用者の位置、体形、体勢等に応じた最適な吐水角度に設定することができ、使用勝手が向上する。しかしながら、このようにシャワーユニットの角度調整のために、向きを変えることを繰り返して行うと、袋ナットの締め付けが緩む可能性が高くなってしまう。特に、不特定多数の使用者が使用する公衆浴場やスポーツジムなどにこのようなシャワーユニットの角度調整ができるシャワー装置を設置した場合、使用者が変わる度に好みの角度にシャワーユニットが動かされるおそれがある。
しかしながら、本発明によって、補助固定具を設けて、袋ナットが所定以上に緩まないようにしているため、袋ナットが外れて、シャワーユニットが落下するおそれがなく、安全性を高める効果がさらに顕著になる。
【００１５】
第５の発明では、前記シャワーユニットを接続した連結管は、水平方向に回転可能に給水管に接続されていることを特徴とする請求項１乃至４のいずれか１つに記載のシャワー装置とした。
【００１６】
本発明によれば、連結管を水平方向に回転させることでシャワーユニットの位置を変えることができる。そのため、たとえば、浴室の洗い場と浴槽との間に設置した場合、洗い場または浴槽へ吐水向きを変えることができるため、使用者の好みに応じた最適な吐水位置を確保することができる。さらには、シャワーを使用しない場合は、邪魔にならないよう壁側に回転させておくことができる。
このように連結管毎、回転させると、シャワーユニットからの吐水向きや吐水範囲が異なる。
そのため、シャワーユニットの向きを給水管に対して変えることが増え、袋ナットが緩むおそれがあるが、本発明を適用することで、袋ナットが所定以上に緩み落下するおそれはなくなる。
【００１７】
【発明の実施の形態】
以下に図面を参照して本発明をより具体的に説明する。
本発明のシャワー装置Ａは、複数の散水孔９ａを有するシャワーユニットＢを連結管１に袋ナット２を用いて接続されている。
そして、シャワーユニットＢまたは連結管１のいずれか一方を袋ナット２の開口部２ａから突出させ、他方を袋ナット２の螺合部２ｂと螺合接続している。
さらに、この袋ナット２の側面に補助固定具３を挿入する貫通穴２ｃを形成し、袋ナット２と螺合接続したシャワーユニットＢまたは連結管１の側面に溝部４ａを形成している。
そして、補助固定具３の先端が溝部４ａに入り込むように貫通穴２ｃに補助固定具３を取付けている。
なお、本発明のシャワー装置は、浴室の洗い場の他、シャワールームや公衆浴場等にも設置可能である。
また、先端のシャワーユニットを入れ替えて好みに応じたバリエーションの展開も図ることができる。
【００１８】
図１のシャワー装置においては、補助固定具３がねじ３ａの場合を示している。
曲げ加工を施した銅管等の材質で作られた連結管１に、シャワーユニットＢを形成するユニット本体４を継手２０を介して袋ナット２にて接続し、浴室やシャワールームの壁面に取り付ける。
この連結管１の先端に接続するユニット本体４には、袋ナット２の螺合部２ｂと螺合接続する螺合部４ｂとその螺合部４ｂ近傍に溝加工を施して溝部４ａを形成している。
袋ナット２には、その側面を貫通するように貫通穴２ｃを形成している。
そして、シャワーユニットＢと連結管１とを接続した際、ユニット本体４の溝部４ａと貫通穴２ｃがほぼ同じ位置になるように設定されている。
この貫通穴２ｃの内周面に雌ネジが切られており、この雌ネジには袋ナット２の外側からねじ３ａがねじ込まれており、そのねじ３ａの先端はユニット本体４の螺合部４ｂ近傍の溝部４ａに突出している。
【００１９】
これにより、袋ナット２が緩んでも先端が突出したねじ３ａが溝部４ａに引っ掛かり回転できなくなるため、それ以上緩むことはない。
また、この状態で吐水を行うと連結管１とユニット本体４のパッキン５の部分にすき間があるため、漏水し、袋ナット２の緩みを認認することが可能である。
【００２０】
メンテナンス等でシャワーユニットＢを交換する際は、ねじ３ａを緩めてから袋ナット２を緩めてシャワーユニットＢを連結管１から取り外し、交換後は、袋ナット２でシャワーユニットＢを連結管１に接続した後、ねじ３ａを溝部４ａにねじ込めば、前述の効果を得ることができる。
また、このねじ３ａは、ユニット本体４の裏面部に位置させることで、目立ちにくく意匠性を損なうこともない。
さらに袋ナット２は、めっき等による表面仕上げを行っており、接続した時にユニット本体４の裏面と若干すき間があく程度の寸法設定としているため、ユニット本体４が露出することがない。
【００２１】
シャワーユニットＢは、ユニット本体４と散水板９と網１１と化粧板６、１２、化粧縁１３とから主に構成されている。
連結管１からの通水は、継手２０を介して、シャワーユニットＢに供給される。
このシャワーユニットＢには、ユニット本体４の袋ナット２を螺合する螺合部４ｂ内に通水路を形成して、この通水路から通水の供給を受ける。さらに、このユニット本体４と散水板９とを重ね合わせることで、散水孔９ａまでの通水路を形成している。
これら２部品は、重ね合わせた時に、内部の空間ができるだけ小さくなるような形状をしており、通水時の水容量が小さく残水も少ないため、シャワーを止水した時の水切れ性がよい。
【００２２】
図５に示すように、散水板９には、３つの表面を湾曲隆起させた散水部９ｂを形成しており、これらの散水部９ｂに散水孔９ａを配置している。このように、散水孔９ａを有する散水部９ｂの表面を各湾曲隆起させたことにより広がりのあるシャワー吐水がなされる。
また、散水部９ｂを散水板９に複数設け、さらに、湾曲隆起させた散水部９ｂの表面に散水孔９ａを形成することで、散水板９の全体に散水孔９ａを配置しなくとも、シャワー吐水される吐水領域を確保することができる。
そのため、散水孔９ａの数を低減させることができるので、形成された通水孔９ａの全通水面積を少なくすることができるため、低水圧時でも勢いのあるシャワー吐水が得られる。
また、同数の散水孔９ａを散水板９全体に配置した場合は、各穴同士の距離が長くなるため、吐水が疎になり、シャワーの集中感を損ねてしまう。
【００２３】
さらに、３つの散水部９ｂの散水孔９ａから散水される各シャワー吐水は、散水板９から吐水された直後に中心部分で一部が重なり合うため、全体としては、大きな吐水径でありながら、特に中心部分が量感のあるシャワー吐水となり、シャワーの感触がよい。
湾曲隆起させた球面状の散水部９ｂ内には、エラストマー等の軟質部材で作られたパッキン１０を球面形状に沿って装着している。これにより、放射状のシャワー吐水を得るために散水板９の穴加工を放射状にする必要がないため、製造費用を安くすることができる。
【００２４】
ここでは、パッキン１０の裏面側に、散水孔９ａを覆うように網１１を装着している。これにより、シャワーを止水した時、表面張力によって網１１に水膜ができるため、内部の水の流出が押さえられ水切れ性を向上させることができる。また、散水板９表面からパッキン１０を適度に突出させることにより、意匠上の変化を持たせるとともに、散水孔９ａに目詰まり等が生じても指で触ってそれを解消させ易くすることができる。
散水板９の表面側には、その湾曲隆起させた球面状の散水部９ｂが貫通するようにほぼ同径の穴加工が施された化粧板１２を装着し、これを挟むように化粧縁１３を本体にねじ込み固定する。
これら化粧板１２と化粧縁１３は、ともに同じめっき加工をすれば、統一感のある意匠となるが、表面の仕上げを変えることにより、意匠のバリエーション展開を図ることも可能である。
【００２５】
なお、ユニット本体４の裏面部は、不要な材料を除いた肉盗み形状をしているが、これを隠すため、化粧板６を貼り付けている。
さらに、この化粧板６と袋ナット２のすき間に発泡パッキン７等のシール材を取り付ければ、ユニット本体４裏面部への水の浸入を防止できるため、衛生的で清掃性もよい。
【００２６】
次に、図２におけるシャワー装置１においては、補助固定具３が溝部４ａに入り込むＣ字型の弾性を有する爪部３ｂと貫通穴２ｃに位置する本体部３ｃとによって構成されている。
図１に示すシャワー装置１と同様に、袋ナット２にその側面を貫通するように貫通穴２ｃが形成されており、シャワーユニットＢを連結管１に接続した際、ユニット本体４の溝部４ａとこの貫通穴２ｃがほぼ同じ位置になるように設定されている。
このユニット本体４の溝部４ａに袋ナット２の貫通穴２ｃの外側から補助固定具３の爪部３ｂを挿入して、図３に示すように、ユニット本体４の溝部４ａをこの爪部３ｂで挟みこむように貫通穴２ｃに本体部３ｃが位置するように取り付けられている。なお、図３は、図２のＸ−Ｘ断面部分を示す。
これにより、袋ナット２が緩んでもその一部が突出した補助固定具３の爪部３ｂが溝部４ａに引っ掛かり回転できなくなるため、それ以上緩むことはない。
また、この状態で吐水を行うと連結管１とユニット本体４部のパッキン５部分にすき間があるため、漏水し、袋ナット２の緩みを認識することが可能である。
【００２７】
メンテナンス等でシャワーユニットＢを交換する際は、適当な工具等を用いて補助固定具３を外してから袋ナット２を緩めてシャワーユニットＢを連結管１から取り外すことができる。そして、シャワーユニットＢの交換後は、袋ナット２でシャワーユニットＢを接続した後、補助固定具３をユニット本体４の溝部４ａに挟みこむように取り付ければ、前述の効果を得ることができる。
また、この補助固定具３および貫通穴２ｃは、ユニット本体４の裏面部に位置させることで、目立ちにくく意匠性を損なうこともない。
【００２８】
図４は、連結管１とユニット本体４の間にボール型の継手８を介して袋ナット２で接続している。
これにより、連結管１に対して、シャワーユニットＢ（ユニット本体４）を任意の角度に調整可能なため、使用者の好みに応じて吐水角度を設定することができる。
ユニット本体４は、連結管１よりも大きな径で薄型の形状をしているため、使用時に頭上から大きな径の領域にシャワー吐水が可能である。
これにより、頭および洗体時の石鹸やシャンプー等を一気に洗い流すことができ、爽快であるとともに、シャワー吐水が身体の大部分を覆うため、気温の低い時期でも暖かく浴びることができる。
また、吐水角度の調整をする際には、形状的に手で握り易く、操作性もよい。そのため、繰り返し、吐水角度を調整すると袋ナット２が緩みやすくなるが、補助固定具３によって所定以上に緩まなくなる。また、若干緩んだ場合には、継ぎ目から漏水を生じるため、いち早く緩みを認識することができるのである。
なお、シャワーユニットＢは図１と同様のため、説明を省略する。
【００２９】
図６、７は、図４に示すシャワー装置Ａを応用させた場合の実施の形態である。
このシャワー装置Ａは、図７に示すようにポール２１の先端部に連結管を水平方向に突設させて形成している。なお、図１、図２に示すシャワー装置Ａを用いても良い。
図７に基づき連結管１とポール１との連結構造について説明する。
連結管１は継手１５に螺合結合されている。そして、この継手１５は直角に通水路を形成し、他端にポール２１内の通水路と連結される継手１６を螺合接続する。
この継手１６の途中につば１６ａを設け、このつば１６ａを上下から接続材１７，１８で挟み込むようにして、継手１６をポール２１に接続している。そして、継手１６は接続材１７、１８に挟まれているだけであるので、ポール２１の軸に対して回転自在となっている。
そのため、継手１６が回転するため、シャワーユニットＢが連結管１ごと回動可能となる。
よって、浴室等の使用形態に応じて好みの位置にシャワー吐水の位置を設定することができる。
なお、接続材１７と継手１６の間にはＯリング１９を取り付けているが、これにより、水密性を保つのと同時に回転トルクを上げることができるため、シャワーユニットＢをポール２１に対して回転させた場合に、勢いよく回り過ぎてシャワーユニットＢが壁にぶつかったりするおそれがない。また、このＯリング１９により、がたつきを低減させることができる。
ここでは、Ｏリング１９は３つとしているが、必要な回転トルクに応じて、数量を調整してもよい。
【００３０】
【発明の効果】
以上により、シャワー吐水を行うためのシャワーユニットを連結管に袋ナットを用いて接続するシャワー装置において、袋ナットが緩んでもシャワーユニットが外れて落下することのないシャワー装置を提供することができる。
【図面の簡単な説明】
【図１】本件発明の一実施の形態であるシャワー装置の断面図を示す。
【図２】本発明における別の一実施例であるシャワー装置の断面図を示す。
【図３】図２のシャワー装置における補助固定具取付け部の断面図を示す。
【図４】本発明における別の一実施例であるシャワー装置の断面図を示す。
【図５】図１のシャワー装置における散水板部の正面図を示す。
【図６】本発明における別の一実施例であるシャワー装置の外観図を示す。
【図７】図６の連結管とポールとの連結構造の断面図を示す。
【図８】従来のシャワー装置の構造を示す図である。
【図９】従来のシャワー装置の構造を示す図である。
【符号の説明】
Ａ　：シャワー装置
Ｂ　：シャワーユニット
１　：連結管
２　：袋ナット
２ａ：開口部
２ｂ：螺合部
２ｃ：貫通穴
３　：補助固定具
３ａ：ねじ
３ｂ：爪部
３ｃ：本体部
４　：ユニット本体
５　：パッキン
６　：化粧板
７　：発泡パッキン
８　：ボール型の継手
９　：散水板
９ａ：散水孔
９ｂ：散水部
１０　：パッキン
１１　：網
１２　：化粧板
１３　：化粧縁
１４　：レバー
１５　：継手
１６　：継手
１６ａ：つば
１７　：接続材
１８　：接続材
１９　：Ｏリング
２０　：継手
２１　：ポール
２２　：逆止弁
【図１】
2004113699.tif 000003
【図２】
2004113699.tif 000004
【図３】
2004113699.tif 000005
【図４】
2004113699.tif 000006
【図５】
2004113699.tif 000007
【図６】
2004113699.tif 000008
【図７】
2004113699.tif 000009
【図８】
2004113699.tif 000010
【図９】
2004113699.tif 000011